(57)【要約】      （修正有）【課題】ユーザが利用環境に応じてインターフェイスの動作状態を選択することができ、さらに、装置全体の消費電力も低減することができる多機能周辺装置を提供する。【解決手段】ユーザはＬＣＤ１６に表示される各インターフェイス２３〜２５，２７，２９の消費電力量に基づいて、各インターフェイス２３〜２５，２７，２９を使用するか否かを判断することができる。また、その判断を操作キー１５によりＭＦＰ１に入力することによって、各インターフェイス２３〜２５，２７，２９へ供給される電力を供給または遮断することができるので、電力が遮断される場合には、そのインターフェイス２３〜２５，２７，２９の消費電力を低減することができる。【選択図】図２
2008219173.tif 000002
【特許請求の範囲】
【請求項１】
外部装置とデータの送受信を行う複数のインターフェイスと、その複数のインターフェイスの各々が動作するために必要な電力を各々のインターフェイスに供給する電源とを備えた多機能周辺装置において、
各インターフェイスの動作状況を監視する監視手段と、
その監視手段により監視された動作状況に基づいて、前記各インターフェイスの動作状況を示すパラメータを表示する表示手段と、
その表示手段に表示されたパラメータに基づいて各インターフェイスに前記電源から電力を供給するか否かの決定を入力する入力手段と、
その入力手段により電力を供給すると入力されたインターフェイスについては、電力を供給し、電力を供給しないと入力されたインターフェイスについては、電力の供給を遮断する電源制御手段とを備えた多機能周辺装置。
【請求項２】
前記監視手段は、前記各インターフェイスの消費電力量をそれぞれ監視することを特徴とする請求項１記載の多機能周辺装置。
【請求項３】
前記外部装置から受信したデータに従って、そのデータを記録媒体に記録する記録手段と、
その記録手段により記録された記録媒体の消費量を、前記データを受信したインターフェイス毎にそれぞれ計数する計数手段と、
前記インターフェイス毎に電力が供給された時間である電力供給時間をそれぞれ計時する計時手段とを備え、
前記監視手段は、前記計数手段により計数された記録媒体の消費量と、前記計時手段により計時された電力供給時間とに基づいた消費電力量を監視することを特徴とする請求項２記載の多機能周辺装置。
【請求項４】
前記電源の電力を各々のインターフェイスに供給するか遮断するかをそれぞれ切り替えるＦＥＴスイッチを備え、
前記電源制御手段は、前記入力手段により入力される決定に基づいて、前記ＦＥＴスイッチを切り替えることを特徴とする請求項１から３のいずれかに記載の多機能周辺装置。
【発明の詳細な説明】
【技術分野】
【０００１】
本発明は、多機能周辺装置に関し、特に、ユーザが利用環境に応じてインターフェイスの動作状態を選択することができ、さらに、装置全体の消費電力も低減することができる多機能周辺装置に関するものである。
【背景技術】
【０００２】
従来より、プリンタ機能やスキャナ機能など、複数の機能を有した多機能周辺装置が知られている。このような多機能周辺装置に関し、特許文献１に記載されている技術では、各機能ブロックの利用状況を監視し、一定期間利用されていない機能ブロックの動作状態を通常状態からスタンバイ状態に変更する。機能ブロックがスタンバイ状態に変更されると、機能ブロックへの通電が抑制されるので、装置全体の電力消費が節減される。
【特許文献１】特開平８−１４９１７８号公報（第００６４段落など）
【発明の開示】
【発明が解決しようとする課題】
【０００３】
これまでユーザは、ＰＣを介して多機能周辺装置を操作するために、ＰＣと多機能周辺装置とにそれぞれ１つだけ設けられた専用のインターフェイス（例えば、セントロニクスインターフェイス）に専用のケーブルを接続するしかなかった。ところが、近年の通信技術の発達に伴い、無線通信を始めとする様々な通信方式が実用化され、ＰＣや多機能周辺装置には、複数のインターフェイスが設けられるようになり、ユーザは自分の利用環境に応じて最適なインターフェイス（接続方法）を選択できるようになった。しかしながら、ＰＣと多機能周辺装置とに複数のインターフェイスが設けられていても、その接続に使用されるインターフェイスは通常１つであるため、その他のインターフェスでは無駄に電力が消費されるという問題点があった。
【０００４】
また、特許文献１に記載された技術では、機能ブロックをスタンバイ状態に変更し、機能を休止させることによって消費電力を節減しているが、その機能を利用するためには、通常状態に変更する操作が必要であるため、直ぐに利用できないという問題点があった。
【０００５】
本発明は、上述した問題点を解決するためになされたものであり、ユーザが利用環境に応じてインターフェイスの動作状態を選択することができ、さらに、装置全体の消費電力も低減することができる多機能周辺装置を提供することを目的とする。
【課題を解決するための手段】
【０００６】
この目的を達成するために、請求項１記載の多機能周辺装置は、外部装置とデータの送受信を行う複数のインターフェイスと、その複数のインターフェイスの各々が動作するために必要な電力を各々のインターフェイスに供給する電源とを備えたものであって、各インターフェイスの動作状況を監視する監視手段と、その監視手段により監視された動作状況に基づいて、前記各インターフェイスの動作状況を示すパラメータを表示する表示手段と、その表示手段に表示されたパラメータに基づいて各インターフェイスに前記電源から電力を供給するか否かの決定を入力する入力手段と、その入力手段により電力を供給すると入力されたインターフェイスについては、電力を供給し、電力を供給しないと入力されたインターフェイスについては、電力の供給を遮断する電源制御手段とを備えている。
【０００７】
請求項２記載の多機能周辺装置は、請求項１記載の多機能周辺装置において、前記監視手段は、前記各インターフェイスの消費電力量をそれぞれ監視するものである。
【０００８】
請求項３記載の多機能周辺装置は、請求項２記載の多機能周辺装置において、前記外部装置から受信したデータに従って、そのデータを記録媒体に記録する記録手段と、その記録手段により記録された記録媒体の消費量を、前記データを受信したインターフェイス毎にそれぞれ計数する計数手段と、前記インターフェイス毎に電力が供給された時間である電力供給時間をそれぞれ計時する計時手段とを備え、前記監視手段は、前記計数手段により計数された記録媒体の消費量と、前記計時手段により計時された電力供給時間とに基づいた消費電力量を監視するものである。
【０００９】
請求項４記載の多機能周辺装置は、請求項１から３のいずれかに記載の多機能周辺装置において、前記電源の電力を各々のインターフェイスに供給するか遮断するかをそれぞれ切り替えるＦＥＴスイッチを備え、前記電源制御手段は、前記入力手段により入力される決定に基づいて、前記ＦＥＴスイッチを切り替えるものである。
【発明の効果】
【００１０】
請求項１記載の多機能周辺装置によれば、監視手段により各インターフェイスの動作状況が監視され、表示手段により各インターフェイスの動作状況を示すパラメータが表示される。入力手段には、各インターフェイスに電源からの電力を供給するか否かの決定が入力され、電力を供給すると入力されたインターフェイスについては、電源制御手段により電源からの電力が供給され、電力を供給しないと入力されたインターフェイスについては、電源制御手段により電源からの電力の供給が遮断される。よって、入力手段に入力された決定により、電源からの電力が各インターフェイスに供給または遮断されるので、電力が遮断される場合には、そのインターフェイスの消費電力を低減することができるという効果がある。
【００１１】
請求項２記載の多機能周辺装置によれば、請求項１記載の多機能周辺装置の奏する効果に加え、監視手段により各インターフェイスの消費電力量がそれぞれ監視され、表示手段には電力消費量を示すパラメータが表示さる。よって、表示手段に表示される各インターフェイスの消費電力量に基づいて、電源からの電力を各インターフェイスにそれぞれ供給するか否かを決定することができるという効果がある。
【００１２】
請求項３記載の多機能周辺装置によれば、請求項２記載の多機能周辺装置の奏する効果に加え、外部装置から受信したデータに従って、記録手段によりそのデータが記録媒体に記録され、記録手段により記録された記録媒体の消費量が、計数手段によりデータを受信したインターフェイス毎にそれぞれ計数される。そして、計時手段によりインターフェイス毎に電力が供給された時間である電力供給時間がそれぞれ計時される。監視手段は、計数手段により計数された記録媒体の消費量と、計時手段により計時された電力供給時間とに基づいた消費電力量を監視するので、表示手段には記録媒体の消費量と電力供給時間とに基づいたパラメータが表示される。よって、表示手段に表示される各インターフェイスの記録媒体の消費量と電力供給時間とに基づいて、電源からの電力を各インターフェイスに供給するか否かを決定することができるという効果がある。
【００１３】
請求項４記載の多機能周辺装置によれば、請求項１から３のいずれかに記載の多機能周辺装置の奏する効果に加え、ＦＥＴスイッチにより電源からの電力を各々のインターフェイスに供給するか遮断するかがそれぞれ切り替えられるので、少ない消費電力でその切り替えを行うことができるという効果がある。また、ＦＥＴスイッチは動作中の待機電力も少なくて良いため、より消費電力を低減することができるという効果がある。
【発明を実施するための最良の形態】
【００１４】
以下、本発明の好ましい実施形態について、添付図面を参照して説明する。図１は、本発明の実施形態における多機能周辺装置（以下、「ＭＦＰ（Ｍｕｌｔｉ  Ｆｕｎｃｔｉｏｎ  Ｐｅｒｉｐｈｅｒａｌ）」と称す）１とパーソナルコンピュータ（以下、「ＰＣ」と称す）５１との外観構成を示した斜視図である。このＭＦＰ１は、プリンタ機能、スキャナ機能、及び、コピー機能などの各種機能を有している。
【００１５】
図１は、ＭＦＰ１がＰＣ５１と接続されて使用されている状態を示している。ＭＦＰ１とＰＣ５１とは、それぞれが複数のインターフェイス２３〜２５，２７，２９（図２参照）を有しており、同じ種類のインターフェイス同士が有線または無線によって接続された場合に、そのインターフェイス同士を介してお互いにデータ通信を行うことができる。
【００１６】
例えば、ユーザがＰＣ５１からＭＦＰ１に記録データ送信して、その記録データを記録用紙に記録する場合には、ユーザはＰＣ５１のいずれかのインターフェイス５８〜６０，６２，６４（図４参照）を選択して、ＭＦＰ１へ記録データを送信する。その記録データは、ＰＣ５１からの記録データの送信に使用された種類と同じ種類であるＭＦＰ１のインターフェイス２３〜２５，２７，２９（図２参照）によって受信される。つまり、ユーザはＰＣ５１とＭＦＰ１とのデータ通信に使用するインターフェイス２３〜２５，２７，２９（図２参照）を任意に選択することができる。しかしながら、ＰＣ５１の利用環境に応じて利用可能なＰＣ５１のインターフェイス５８〜６０，６２，６４（図４参照）が限定されるため、ユーザは利用環境に応じてＭＦＰ１とのデータ通信に使用するインターフェイス２３〜２５，２７，２９（図２参照）を変更することができる。図１は、ユーザがＰＣ５１の利用環境に応じてＭＦＰ１とのデータ通信に使用するインターフェイス２３〜２５，２７，２９（図２参照）を選択し、ＭＦＰ１を使用している状態を示している。
【００１７】
ＭＦＰ１の本体の前面には、開口部５が設けられ内部が上下に仕切られている。開口部５の下側には、複数枚の記録用紙（特許請求の範囲に記載の記録媒体の一例）を積層収納可能な給紙カセット３が挿入されている。給紙カセット３は、Ａ４サイズ等にカットされた記録用紙が収納可能に構成されている。開口部５の上側は記録済みの記録用紙が排紙される排紙部４となっている。
【００１８】
本体の内部には、ＣＰＵ１１（図２参照）からの指示に基づいて、所定の給紙位置（非図示）にセットされた記録用紙への記録を行うためのインクジェット方式のプリンタ２１が内蔵されている。プリンタ２１は、記録用紙を搬送する記録用紙搬送用モータ（非図示）と、記録用紙へインクを吐出する印字ヘッド（非図示）と、その印字ヘッドを搭載したキャリッジ（非図示）を移動させるキャリッジモータ（非図示）とを有している。
【００１９】
開口部５の上部には、スキャナ機能やコピー機能の実行時における原稿読取などのためのスキャナ２０が配設されている。原稿カバー体８の下側には、原稿を載置するための載置用ガラス板（図示しない）が設けられており、原稿を読み取る場合は、原稿カバー体８を上側に開き、載置用ガラス板上に原稿を載置し、原稿カバー体８を閉じて原稿を固定する。そして、操作キー１５の原稿読取キー１５ｄを押下すると、載置用ガラス板の下側に設けられている原稿読取センサー（図示しない）により原稿紙面の画像が読み取られる。読み取られた画像データは後述のＲＡＭ１３（図２参照）における所定の記憶領域に格納される。なお、スキャナ２０の原稿読取センサーには、例えばＣＩＳ（Ｃｏｎｔａｃｔ  Ｉｍａｇｅ  Ｓｅｎｓｏｒ）やＣＣＤ（Ｃｈａｒｇｅ  Ｃｏｕｐｌｅｄ  Ｄｅｖｉｄｅ）が用いられている。
【００２０】
原稿カバー体８の前方には、横長形状の操作パネル６が設けられており、操作キー１５、ＬＣＤ１６、スピーカ１７（図示しない）とを具備する。操作キー１５には、電源設定メニューをＬＣＤ１６に表示する電源設定キー１５ａ、電源設定を変更するインターフェイスを選択する十字キー１５ｂ、変更した電源設定を反映させる決定キー１５ｃ、原稿を読み取る原稿読取キー１５ｄなどが設けられている。また、利用者は、操作キー１５の各種キーを押下することで、主電源のオン／オフや、各機能の切り替えなどの操作を行うことができる。
【００２１】
ＬＣＤ１６には、メニューや操作手順や実行中の処理の状態が表示される。また、操作キー１５の押下に対応する情報が表示されるので、利用者は記録する画像データやプリンタ２１などの各種情報を確認することができる。スピーカ１７は、操作キー１５の操作音やエラー発生時の注意音を利用者に報知するものである。
【００２２】
開口部５の前面には、メモリカード２２ａを挿入するためのメモリカードスロット２２が設けられている。メモリカード２２ａをメモリカードスロット２２に挿入することによって、メモリカード２２ａに記憶されている画像データをプリンタ２１で記録用紙に記録したり、スキャナ２０で読み取られた画像データをメモリカード２２ａに記憶することができる。
【００２３】
また、開口部５の前面には、ＵＳＢケーブル１００の一端側が差し込まれるＵＳＢインターフェイス２３の接続口が開口している。ＵＳＢケーブル１００の一端側を、ＵＳＢインターフェイス２３の接続口に接続し、他端側をＰＣ５１に設けられたＵＳＢインターフェイス５８（図４参照）の接続口に接続することにより、ＭＦＰ１とＰＣ５１とはＵＳＢケーブル１００を介してデータ通信可能となるように構成されている。
【００２４】
図示しないが、ＭＦＰ１の背面には、ＬＡＮケーブル２００の一端側が差し込まれる有線ＬＡＮインターフェイス２４（図２参照）の接続口が開口している。ＬＡＮケーブル２００の一端側を、有線ＬＡＮインターフェイス２４の接続口に接続し、他端側をＰＣ５１の有線ＬＡＮインターフェイス５９（図４参照）の接続口に接続することにより、ＭＦＰ１とＰＣ５１とはＬＡＮケーブル２００を介してデータ通信可能となるように構成されている。
【００２５】
同様に図示しないが、ＭＦＰ１の本体の内部には、無線を利用してデータ通信を行う無線ＬＡＮインターフェイス２５と無線ＬＡＮ用アンテナ２６とが配設されている（図２参照）。同様に、ＰＣ５１の本体の内部にも、無線ＬＡＮインターフェイス６０と無線ＬＡＮ用アンテナ６１とが配設されている（図４参照）。ＭＦＰ１とＰＣ５１とは、お互いの無線ＬＡＮインターフェイスが無線通信３００により接続された場合に、データ通信が可能となるように構成されている。
【００２６】
同様に図示しないが、ＭＦＰ１の本体の内部には、無線を利用してデータ通信を行うＢｌｕｅｔｏｏｔｈインターフェイス２７とＢｌｕｅｔｏｏｔｈ用アンテナ２８とが配設されている（図２参照）。同様に、ＰＣ５１の本体の内部にも、Ｂｌｕｅｔｏｏｔｈインターフェイス６２とＢｌｕｅｔｏｏｔｈ用アンテナ６３とが配設されている（図４参照）。ＭＦＰ１とＰＣ５１とは、お互いのＢｌｕｅｔｏｏｔｈインターフェイスが無線通信４００により接続された場合に、データ通信が可能となるように構成されている。
【００２７】
同様に図示しないが、ＭＦＰ１の本体の内部には、赤外線を利用してデータ通信を行うＩｒｓｉｍｐｌｅインターフェイス２９とＩｒｓｉｍｐｌｅ用アンテナ３０とが配設されている（図２参照）。同様に、ＰＣ５１の本体の内部にも、Ｉｒｓｉｍｐｌｅインターフェイス６４とＩｒｓｉｍｐｌｅ用アンテナ６５とが配設されている（図４参照）。ＭＦＰ１とＰＣ５１とは、お互いのＩｒｓｉｍｐｌｅインターフェイスが赤外線通信５００により接続された場合に、データ通信が可能となるように構成されている。
【００２８】
次に、図２を参照して、ＭＦＰ１の電気的構成について説明する。図２は、ＭＦＰ１の電気的構成を示すブロック図である。ＭＦＰ１は、ＣＰＵ１１、ＲＯＭ１２、ＲＡＭ１３、フラッシュメモリ１４、操作キー１５、ＬＣＤ１６、スピーカ１７、計時回路１８、スキャナ２０、プリンタ２１、インターフェイス用電源２２、ＵＳＢインターフェイス２３、有線ＬＡＮインターフェイス２４、無線ＬＡＮインターフェイス２５、Ｂｌｕｅｔｏｏｔｈインターフェイス２７、Ｉｒｓｉｍｐｌｅインターフェイス２９、スイッチ３１〜３５が設けられ、ＣＰＵ１１、ＲＯＭ１２、ＲＡＭ１３は、バスライン４０を介してお互いに接続されている。
【００２９】
また、ＭＦＰ１の操作キー１５、ＬＣＤ１６、スピーカ１７、計時回路１８、スキャナ２０、プリンタ２１、ＵＳＢインターフェイス２３、有線ＬＡＮインターフェイス２４、無線ＬＡＮインターフェイス２５、Ｂｌｕｅｔｏｏｔｈインターフェイス２７、Ｉｒｓｉｍｐｌｅインターフェイス２９、スイッチ３１〜３５、バスライン４０は、入出力ポート４１を介してお互いに接続されている。
【００３０】
ＭＦＰ１のＣＰＵ１１は、ＲＯＭ１２やＲＡＭ１３に記憶される固定値やプログラム或いは、ＭＦＰ１が有している各機能の制御や、各インターフェイス２３〜２５，２７，２９を介して送受信される各種信号に従って、入出力ポート４１と接続された各部を制御するものである。ＲＯＭ１２は、書換不能なメモリであり、ＭＦＰ１で実行される図５、図６、図７、図８のフローチャートに示すプログラムなどが格納された制御プログラム１２ａと、インターフェイス２３〜２５，２７，２９を経由して受信された記録データがプリンタ２１により記録用紙に記録される場合に、１枚の記録用紙を記録するために各インターフェイス２３〜２５，２７，２９で消費される消費電力値が各インターフェイス２３〜２５，２７，２９毎にそれぞれ格納された記録時消費電力値１２ｂ（１２ｂ１〜１２ｂ５）と、各インターフェイス２３〜２５，２７，２９の待機時の消費電力値が各インターフェイス２３〜２５，２７，２９毎にそれぞれ格納された待機時消費電力値１２ｂ（１２ｃ１〜１２ｃ５）とが設けられている。
【００３１】
ここで、図９を参照して、記録時消費電力値１２ｂと待機時消費電力値１２ｃとについて説明する。図９（ａ）は、記録時消費電力値１２ｂと待機時消費電力値１２ｃとの電気的構成を示したブロック図である。図９（ｂ）は、各インターフェイス２３〜２５，２７，２９の記録時電力消費量と待機時電力消費量を求めるための計算式を示している。記録時電力消費値１２ｂと待機時電力消費値１２ｃとは、図９（ｂ）に示すように、各インターフェイス２３〜２５，２７，２９の記録時電力消費量と待機時電力消費量とを算出するために用いられる値である。
【００３２】
記録時電力消費値１２ｂには、インターフェイス２３〜２５，２７，２９を介して受信された記録データがプリンタ２１により記録用紙に記録される場合、１枚の記録用紙に記録を行うために、そのインターフェイス２３〜２５，２７，２９で消費される消費電力値が、各インターフェイス２３〜２５，２７，２９毎にそれぞれ格納されている。即ち、ＵＳＢインターフェイス２３を介して受信された記録データを１枚記録する場合の消費電力値が記録時消費電力値１２ｂのＵＳＢインターフェイス１２ｂ１に記憶され、同様に、有線ＬＡＮインターフェイス２４を介して受信された記録データを１枚記録する場合の消費電力値が記録時消費電力値１２ｂの有線ＬＡＮインターフェイス１２ｂ２に、無線ＬＡＮインターフェイス２５を介して受信された記録データを１枚記録する場合の消費電力値が記録時消費電力値１２ｂの無線ＬＡＮインターフェイス１２ｂ３に、Ｂｌｕｅｔｏｏｔｈインターフェイス２７を介して受信された記録データを１枚記録する場合の消費電力値が記録時消費電力値１２ｂのＢｌｕｅｔｏｏｔｈインターフェイス１２ｂ４に、Ｉｒｓｉｍｐｌｅインターフェイス２９を介して受信された記録データを１枚記録する場合の消費電力値が記録時消費電力値１２ｂのＩｒｓｉｍｐｌｅインターフェイス１２ｂ５に、それぞれ記憶されている。
【００３３】
待機時消費電力値１２ｃには、インターフェイス２３〜２５，２７，２９が待機している場合に、そのインターフェイス２３〜２５，２７，２９で消費される消費電力値が、各インターフェイス２３〜２５，２７，２９毎にそれぞれ格納されている。即ち、ＵＳＢインターフェイス２３が待機している場合に消費される消費電力値が待機時消費電力値１２ｃのＵＳＢインターフェイス１２ｃ１に記憶され、有線ＬＡＮインターフェイス２４が待機している場合に消費される消費電力値が待機時消費電力値１２ｃの有線ＬＡＮインターフェイス１２ｃ２に、無線ＬＡＮインターフェイス２５が待機している場合に消費される消費電力値が待機時消費電力値１２ｃの無線ＬＡＮインターフェイス１２ｃ３に、Ｂｌｕｅｔｏｏｔｈインターフェイス２７が待機している場合に消費される消費電力値が待機時消費電力値１２ｃのＢｌｕｅｔｏｏｔｈインターフェイス１２ｃ４に、Ｉｒｓｉｍｐｌｅインターフェイス２９が待機している場合に消費される消費電力値が待機時消費電力値１２ｃのＩｒｓｉｍｐｌｅインターフェイス１２ｃ５に、それぞれ記憶されている。
【００３４】
図２の説明に戻る。ＲＡＭ１３は、各種のデータを一時的に記憶するための書換可能なメモリである。ＲＡＭ１３には、インターフェイス２３〜２５，２７，２９を介して受信された記録データがプリンタ２１により記録用紙に記録される場合に、その記録データが記録用紙に記録される枚数を計数するために使用される計数メモリ１３ａが設けられている。計数メモリ１３ａは、記録データがインターフェイス２３〜２５，２７，２９を介して受信された場合にその値が初期化され（図７のＳ２１参照）、プリンタ２１により記録データが１枚記録される毎に１が加算される（図７のＳ２３参照）。その受信された記録データの記録が終了した場合には、その記録データを受信したインターフェイスに対応する領域の記録枚数メモリ１４ｃにその計数された枚数が加算される（図７のＳ２６参照）。
【００３５】
フラッシュメモリ１４は、書換可能な不揮発性のメモリであり、このフラッシュメモリ１４に記憶されたデータは、ＭＦＰ１の主電源オフ後も保持される。フラッシュメモリ１４には、各インターフェイス２３〜２５，２７，２９の動作状態を示す動作状態フラグが記憶される動作状態フラグメモリ１４ａ、インターフェイス用電源２２から各インターフェイス２３〜２５，２７，２９に電力が供給された時間である電力供給時間がそれぞれ記憶される電力供給時間メモリ１４ｂ（１４ｂ１〜１４ｂ５）、各インターフェイス２３〜２５，２７，２９を介して受信された記録データがプリンタ２１により記録用紙に記録された場合の記録枚数がそれぞれ記憶される記録枚数メモリ１４ｃ（１４ｃ１〜１４ｃ５）とが設けられている。
【００３６】
ここで、図３を参照して、動作状態フラグメモリ１４ａ、電力供給時間メモリ１４ｂ、記録枚数メモリ１４ｃに記憶される内容について説明する。
【００３７】
図３（ａ）は、動作状態フラグメモリ１４ａの内容を概略的に示したイメージ図である。図３（ｂ）は、電力供給時間メモリ１４ｂの内容を概略的に示したイメージ図である。図３（ｃ）は、記録枚数メモリ１４ｃの内容を概略的に示したイメージ図である。
【００３８】
動作状態フラグメモリ１４ａは、各インターフェイス２３〜２５，２７，２９の動作状態を各インターフェイス２３〜２５，２７，２９毎に示す動作状態フラグが記憶されるメモリであり、図３（ａ）に示すように、ビット０からビット７までの８ビット（１バイト）により構成されている。それぞれのビットは、各インターフェイス２３〜２５，２７，２９の動作状態を示し、各インターフェイス２３〜２５，２７，２９毎にインターフェイス用電源２２からの電力が供給されている場合には、ＯＮ（１）が、インターフェイス用電源２２からの電力が遮断されている場合には、ＯＦＦ（０）が、それぞれ設定される。なお、各インターフェイス２３〜２５，２７，２９への電力供給或いは電力遮断の設定は、ユーザーによる操作パネル４の操作によって行われる（図８のＳ３８〜Ｓ４２参照）。
【００３９】
具体的には、動作状態フラグメモリ１４ａのビット０はＵＳＢインターフェイス２３の動作状態を、ビット１は有線ＬＡＮインターフェイス２４の動作状態を、ビット２は無線ＬＡＮ２５の動作状態を、ビット３はＢｌｕｅｔｏｏｔｈインターフェイス２７の動作状態を、ビット４はＩｒｓｉｍｐｌｅインターフェイス２９の動作状態を、それぞれ示している。また、ビット５からビット７は、該当するインターフェイスが無いため未使用とされている。
【００４０】
電力供給時間メモリ１４ｂは、インターフェイス用電源２２から各インターフェイス２３〜２５，２７，２９に電力が供給された時間である電力供給時間が、各インターフェイス２３〜２５，２７，２９毎に記憶されるメモリであり、ＵＳＢインターフェイス１４ｂ１と、有線ＬＡＮインターフェイス１４ｂ２と、無線ＬＡＮインターフェイス１４ｂ３と、Ｂｌｕｅｔｏｏｔｈインターフェイス１４ｂ４と、Ｉｒｓｉｍｐｌｅインターフェイス１４ｂ５とが設けられている。各領域に記憶されるデータ形式は、どのインターフェイスでも同じであるので、図３（ｂ）を参照し、一例としてＵＳＢインターフェイス１４ｂ１の内容ついて説明し、その他のインターフェイスについては、その説明を省略する。
【００４１】
図３（ｂ）に示すように、ＵＳＢインターフェイス１４ｂ１は、複数のデータブロックから構成され、１つのデータブロックには、日付と電力供給時間とが記憶されている。ＵＳＢインターフェイス２３に電力が供給されている場合は、所定時間毎（例えば、１分又は５分）に、電力供給時間が更新される（図６のＳ１３，Ｓ１４参照）。このデータブロックは、ＭＦＰ１が動作中に計時回路１８（図２参照）から現在の日付を取得し、その日付の電力供給時間を記憶するデータブロックが存在しない場合に、既存のデータブロックの後に追加作成されるものである（図６のＳ１１，Ｓ１２参照）。
【００４２】
記録枚数メモリ１４ｃは、各インターフェイス２３〜２５，２７，２９を介して受信された記録データがプリンタ２１により記録用紙に記録された場合の記録枚数が各インターフェイス２３〜２５，２７，２９毎に記憶されるメモリであり、ＵＳＢインターフェイス１４ｃ１と、有線ＬＡＮインターフェイス１４ｃ２と、無線ＬＡＮインターフェイス１４ｃ３と、Ｂｌｕｅｔｏｏｔｈインターフェイス１４ｃ４と、Ｉｒｓｉｍｐｌｅインターフェイス１４ｃ５とが設けられている。各領域に記憶されるデータ形式は、どのインターフェイスでも同じであるので、図３（ｃ）を参照し、一例としてＵＳＢインターフェイス１４ｃ１の内容について説明し、その他のインターフェイスについては、その説明を省略する。
【００４３】
図３（ｃ）に示すように、ＵＳＢインターフェイス１４ｃ１は、複数のデータブロックから構成され、１つのデータブロックには、日付と記録枚数とが記憶されている。ＵＳＢインターフェイス２３を介して受信された記録データがプリンタ２１により記録用紙に記録された場合に、その記録された枚数が記録枚数に加算される（図７のＳ２６参照）。このデータブロックは、ＭＦＰ１が動作中に計時回路１８（図２参照）から現在の日付を取得し、その日付の記録枚数を記憶するデータブロックが存在しない場合に、既存のデータブロックの後に追加作成されるものである（図６のＳ１１，Ｓ１２参照）。
【００４４】
ここで、図２の説明に戻る。計時回路１８は、現在の日時を刻む内部時計を有している。インターフェイス用電源２２は、各インターフェイス２３〜２５，２７，２９が動作するために必要な電力を、各々のインターフェイス２３〜２５，２７，２９に供給するための電源である。
【００４５】
ＵＳＢインターフェイス２３は、ＵＳＢケーブル１００によりＰＣ５１のＵＳＢインターフェイス５８（図４参照）と接続されることにより、ＰＣ５１とのデータ通信を可能にする既知の回路である。有線ＬＡＮインターフェイス２４は、ＬＡＮケーブル２００によりＰＣ５１の有線ＬＡＮインターフェイス５９（図４参照）と接続されることにより、ＰＣ５１とのデータ通信を可能にする既知の回路である。
【００４６】
無線ＬＡＮインターフェイス２５は、無線ＬＡＮインターフェイス用アンテナ２６を有しており、無線通信３００によりＰＣ５１の無線ＬＡＮインターフェイス６０（図４参照）と接続されることにより、ＰＣ５１とのデータ通信を可能にする既知の回路である。Ｂｌｕｅｔｏｏｔｈインターフェイス２７は、Ｂｌｕｅｔｏｏｔｈインターフェイス用アンテナ２８を有しており、無線通信４００によりＰＣ５１のＢｌｕｅｔｏｏｔｈインターフェイス６２（図４参照）と接続されることにより、ＰＣ５１とのデータ通信を可能にする既知の回路である。
【００４７】
Ｉｒｓｉｍｐｌｅインターフェイス２９は、Ｉｒｓｉｍｐｌｅインターフェイス用アンテナ３０を有しており、赤外線通信５００によりＰＣ５１のＩｒｓｉｍｐｌｅインターフェイス６４（図４参照）と接続されることにより、ＰＣ５１とのデータ通信を可能にする既知の回路である。
【００４８】
スイッチ３１〜３５は、それぞれＦＥＴスイッチにより構成されている。図２では、Ｐチャネル型のＦＥＴ用いたＦＥＴスイッチの一例を示している。ＦＥＴスイッチには、ゲート端子とドレイン端子とソース端子とが設けられており、各ゲート端子は入出力ポート４１に接続され、各ドレイン端子はインターフェイス用電源２２に接続されている。また、各ソース端子は、それぞれのインターフェイス２３〜２５，２７，２９の電源入力（＋Ｖｃｃ）に接続されている。ＣＰＵ１１から、スイッチがＯＮするように、ＦＥＴスイッチのゲート端子に信号が入力された場合は、そのＦＥＴスイッチのドレイン端子とソース端子とが導通し、インターフェイス用電源２２からソース端子に接続されているインターフェイスへ電力が供給される。
【００４９】
スイッチ３１は、ＣＰＵ１１から入力される信号に従って、インターフェイス用電源２２から供給される電力を、ＵＳＢインターフェイス２３に供給または遮断する。スイッチ３２は、ＣＰＵ１１から入力される信号に従って、インターフェイス用電源２２から供給される電力を、有線ＬＡＮインターフェイス２４に供給または遮断する。スイッチ３３は、ＣＰＵ１１から入力される信号に従って、インターフェイス用電源２２から供給される電力を、無線インターフェイス２５に供給または遮断する。スイッチ３４は、ＣＰＵ１１から入力される信号に従って、インターフェイス用電源２２から供給される電力を、Ｂｌｕｅｔｏｏｔｈインターフェイス２７に供給または遮断する。スイッチ３５は、ＣＰＵ１１から入力される信号に従って、インターフェイス用電源２２から供給される電力を、Ｉｒｓｉｍｐｌｅインターフェイス２９に供給または遮断する。
【００５０】
スイッチ３１〜３５には、ＦＥＴスイッチが用いられているので、ＣＰＵ１１が入出力ポート４１を介して各スイッチ３１〜３５の切り替えを行う場合に、少ない消費電力で各スイッチ３１〜３５の切り替えを行うことができる。また、ＦＥＴスイッチは動作中の待機電力も少ないので、より消費電力を低減することができる。
【００５１】
次に、図４を参照して、ＰＣ５１の電気的構成について説明する。図４は、ＰＣ５１の電気的構成を示すブロック図である。ＰＣ５１は、ＣＰＵ５２、ＲＯＭ５３、ＲＡＭ５４、ハードディスク５５、入力装置５６、表示装置５７、ＵＳＢインターフェイス５８、有線ＬＡＮインターフェイス５９、無線ＬＡＮインターフェイス６０、Ｂｌｕｅｔｏｏｔｈインターフェイス６２、Ｉｒｓｉｍｐｌｅインターフェイス６４が設けられ、これらはバスライン７０を介してお互いに接続されている。
【００５２】
ＣＰＵ５２は、ＲＯＭ５３やＲＡＭ５４やハードディスク５５に記憶される固定値やプログラム或いは、ＰＣ５１が有している各機能の制御や、ＵＳＢインターフェイス５８、有線ＬＡＮインターフェイス５９、無線ＬＡＮインターフェイス６０、Ｂｌｕｅｔｏｏｔｈインターフェイス６２、Ｉｒｓｉｍｐｌｅインターフェイス６４とを介して送受信される各種信号に従って、バスライン７０により接続された各部を制御する。
【００５３】
ＲＯＭ５３は、このＰＣ５１で実行される各種の制御プログラムを記憶する書換不能なメモリである。ＲＡＭ３４は各種のデータを一時的に記憶するための書換可能なメモリである。ハードディスク３５は書換可能な不揮発性のメモリであり、ハードディスク３５に記憶されたデータは、ＰＣ５１の電源オフ後も保持される。このハードディスク３５には、各種アプリケーションソフトや、そのアプリケーションソフトを用いて作成された記録データなどが記憶されている。ユーザは、その記録データをＭＦＰ１に送信することにより、記録用紙に記録することができる。記録データがＭＦＰ１へ送信される場合は、後述のいずれかのインターフェイス５８〜６０，６２，６４を介して送信される。
【００５４】
入力装置５６は、ＰＣ５１を管理したり、ハードディスク５５に格納された各種アプリケーションソフトを利用する場合に使用するものであり、例えば、キーボードやマウスなどの入力装置で構成される。表示装置５７は、ＰＣ５１を管理したり、各種アプリケーションソフトを利用する場合に使用するものであり、例えば、液晶ディスプレイ等の表示装置で構成される。
【００５５】
ＵＳＢインターフェイス５８は、ＵＳＢケーブル１００によりＭＦＰ１のＵＳＢインターフェイス２３（図２参照）と接続されることにより、ＭＦＰ１とのデータ通信を可能にする既知の回路である。有線ＬＡＮインターフェイス５９は、ＬＡＮケーブル２００によりＭＦＰ１の有線ＬＡＮインターフェイス２４（図２参照）と接続されることにより、ＭＦＰ１とのデータ通信を可能にする既知の回路である。
【００５６】
無線ＬＡＮインターフェイス６０は、無線ＬＡＮインターフェイス用アンテナ６１を有しており、無線通信３００によりＭＦＰ１の無線ＬＡＮインターフェイス２５（図２参照）と接続されることにより、ＭＦＰ１とのデータ通信を可能にする既知の回路である。Ｂｌｕｅｔｏｏｔｈインターフェイス６２は、Ｂｌｕｅｔｏｏｔｈインターフェイス用アンテナ６３を有しており、無線通信４００によりＭＦＰ１のＢｌｕｅｔｏｏｔｈインターフェイス２７（図２参照）と接続されることにより、ＭＦＰ１とのデータ通信を可能にする既知の回路である。
【００５７】
Ｉｒｓｉｍｐｌｅインターフェイス６４は、Ｉｒｓｉｍｐｌｅインターフェイス用アンテナ６５を有しており、赤外線通信５００によりＭＦＰ１のＩｒｓｉｍｐｌｅインターフェイス２９（図２参照）と接続されることにより、ＭＦＰ１とのデータ通信を可能にする既知の回路である。
【００５８】
次に、図５を参照して、ＭＦＰ１のＣＰＵ１１により実行されるメイン処理について説明する。
【００５９】
図５は、ＭＦＰ１のメイン処理を示すフローチャートであり、ＭＦＰ１の主電源が投入されてから主電源が遮断されるまで繰り返し実行される処理である。このメイン処理では、まず、動作状態フラグメモリ１４ａを読み取り、動作状態フラグがＯＮであるインターフェイス２３〜２５，２７，２９のスイッチ３１〜３５をオンして、そのインターフェイス２３〜２５，２７，２９に電力を供給する（Ｓ１）。なお、前述した通り、各インターフェイス２３〜２５，２７，２９への電力供給（動作状態フラグのＯＮ）或いは電力遮断（動作状態フラグのＯＦＦ）の設定は、ユーザーによる操作パネル４の操作によって行われる（図８のＳ３８〜Ｓ４２参照）。Ｓ１の処理後は、電力供給時間計時処理を実行する（Ｓ２）。
【００６０】
図６のフローチャートを参照して、電力供給時間計時処理（Ｓ２）について説明する。電力供給時間計時処理（Ｓ２）は、電力供給時間や記録枚数を記憶するためのデータブロックを各インターフェイス２３〜２５，２７，２９毎に作成し、また、各インターフェイス２３〜２５，２７，２９に電力が供給された時間である電力供給時間を更新するための処理である。
【００６１】
この電力供給時間計時処理（Ｓ２）では、始めに、計時回路１８より、現在の日付を取得する（Ｓ１０）。そして、電力供給時間メモリ１４ｂに取得した日付の電力供給時間を記憶するためのデータブロックと、記録枚数メモリ１４ｃに取得した日付の記録枚数を記憶するためのデータブロックとが、各インターフェイス２３〜２５，２７，２９毎にそれぞれ存在するかを判定し（Ｓ１１）、取得した日付のデータブロックが存在しない場合は（Ｓ１１：Ｎｏ）、電力供給時間メモリ１４ｂに取得した日付の電力供給時間を記憶するデータブロックを、記録枚数メモリ１４ｃに取得した日付の記録枚数を記憶するデータブロックを、各インターフェス２３〜２５，２７，２９毎にそれぞれ作成する（Ｓ１２）。一方、取得した日付のデータブロックが存在する場合は（Ｓ１１：Ｙｅｓ）、Ｓ１２の処理をスキップし、Ｓ１３の処理に移行する。
【００６２】
Ｓ１３の処理では、前回の電力供給時間計時処理を行ってから、所定時間（例えば、１分又は５分）が経過したかを判定し（Ｓ１３）、所定時間が経過している場合は（Ｓ１３：Ｙｅｓ）、動作状態フラグがＯＮであるインターフェイス２３〜２５，２７，２９の電力供給時間メモリ１４ｂの、取得した日付のデータブロックに、それぞれ所定時間を加算し（Ｓ１４）、この電力供給時間処理（Ｓ２）を終了する。一方、所定時間が経過していない場合は（Ｓ１３：Ｎｏ）、Ｓ１４の処理をスキップして、この電力供給時間計時処理（Ｓ２）を終了する。この図６のフローチャートの電力供給時間計時処理（Ｓ２）により、ＭＦＰ１が電力供給時間や記録枚数を記憶するためのデータブロックを作成することができ（図３（ｂ）、図３（ｃ）参照）、また、各インターフェイス２３〜２５，２７，２９へ電力が供給された時間である電力供給時間を、各インターフェイス２３〜２５，２７，２９毎にそれぞれ更新することができる。
【００６３】
電力供給時間計時処理（Ｓ２）の終了後は、図５のＳ３の処理へ戻る。Ｓ３の処理では、何れかのインターフェイス２３〜２５，２７，２９に記録データが入力されたかを判定し（Ｓ３）、記録データが入力された場合は（Ｓ３：Ｙｅｓ）、記録枚数計数処理を実行する（Ｓ４）。一方、何れのインターフェイスにも記録データが入力されていない場合は（Ｓ３：Ｎｏ）、Ｓ４の処理をスキップして、Ｓ５の処理に移行する。
【００６４】
図７のフローチャートを参照して、記録枚数計数処理（Ｓ４）について説明する。記録枚数計数処理（Ｓ４）は、各インターフェイス２３〜２５，２７，２９に入力された記録データがプリンタ２１により記録用紙に記録される場合の記録枚数を計数するための処理である。この記録枚数計数処理（Ｓ４）では、始めに、計数メモリ１３ａをクリアする（Ｓ２１）。そして、プリンタ２１により記録用紙への記録が１枚終了したかを判定し（Ｓ２２）、記録用紙への記録が１枚終了した場合は（Ｓ２２：Ｙｅｓ）、計数メモリ１３ａの値に１を加算する（Ｓ２３）。一方、記録用紙への記録が終了していない場合は（Ｓ２２：Ｎｏ）、Ｓ２２の処理に戻り、記録が終了するまで待機する。
【００６５】
次に、インターフェイス２３〜２５，２７，２９に入力された全記録データの記録が終了したかを判定し（Ｓ２４）、全記録データの記録が終了していない場合は（Ｓ２４：Ｎｏ）、Ｓ２２の処理に戻り、上述したＳ２２からＳ２４の処理を繰り返す。一方、全記録データの記録が終了した場合は（Ｓ２４：Ｙｅｓ）、計時回路１８より、現在の日付を取得する（Ｓ２５）。そして、プリンタ２１により記録された記録データが入力されたインターフェイス２３〜２５，２７，２９に対応する領域の記録枚数メモリ１４ｃにおいて、図６に示す電力供給時間計時処理（Ｓ２のＳ１２参照）で既に取得した日付のデータブロックに計数メモリ１３ａの値を加算し（Ｓ２６）、この記録枚数計数処理（Ｓ４）を終了する。
【００６６】
この図７のフローチャートの記録枚数計数処理（Ｓ４）により、各インターフェイス２３〜２５，２７，２９に入力された記録データがプリンタ２１により記録用紙に記録される場合に、その記録された枚数を計数でき、記録データが入力されたインターフェイス２３〜２５，２７，２９に対応する領域の記録枚数メモリ１４ｃにその値を加算することができる。
【００６７】
記録枚数計数処理（Ｓ４）の終了後は、図５のＳ５の処理へ戻る。Ｓ５の処理では、電源設定キー１５ａが押下されたかを判定し（Ｓ５）、電源設定キー１５ａが押下された場合は（Ｓ５：Ｙｅｓ）、電源設定処理を実行する（Ｓ６）。一方、電源設定キー１５ａが押下されていない場合は（Ｓ５：Ｎｏ）、Ｓ６の処理をスキップして、Ｓ７の処理に移行する。
【００６８】
図８のフローチャートを参照して、電源設定処理（Ｓ６）について説明する。電源設定処理（Ｓ６）は、各インターフェイス２３〜２５，２７，２９の消費電力量をＬＣＤ１６に表示し、ユーザの操作に従ってスイッチ３１〜３５をＯＮまたはＯＦＦして、各インターフェイス２３〜２５，２７，２９のそれぞれへ電力を供給し又は遮断するための処理である。
【００６９】
まず、この電源設定処理（Ｓ６）では、ＬＣＤ１６に「消費電力を、日別、週別、月別のどの時間間隔で表示しますか？」と表示する（Ｓ３１）。そして、ユーザによってどの時間間隔が選択されたかを判定し（Ｓ３２）、ユーザによって日別が選択された場合は、現在の日付のデータブロックを、電力供給時間メモリ１４ｂと記録枚数メモリ１４ｃとから読み取る（Ｓ３３）。一方、ユーザによって週別が選択された場合は、現在の日付から７日前までのデータブロックを、電力供給時間メモリ１４ｂと記録枚数メモリ１４ｃとから読み取る（Ｓ３４）。一方、ユーザによって月別が選択された場合は、現在の日付から３１日前までのデータブロックを、電力供給時間メモリ１４ｂと記録枚数メモリ１４ｃとから読み取る（Ｓ３５）。
【００７０】
次に、読み取ったそれぞれのデータデータブロックの情報を用いて、各インターフェイス２３〜２５，２７，２９の記録時電力消費量（図９参照）と、待機時電力消費量（図９参照）とを算出する（Ｓ３６）。ＬＣＤ１６の左半分に、ユーザにより選択された時間間隔を横軸とし、電力消費量を縦軸とするヒストグラム（棒グラフ）を表示し、ＬＣＤ１６の右半分に、各インターフェイス２３〜２５，２７，２９の電源設定メニューを表示する（Ｓ３７）（図１０参照）。
【００７１】
そして、ユーザによってインターフェイス２３〜２５，２７，２９の電源設定が変更されたかを判定し（Ｓ３８）、インターフェイス２３〜２５，２７，２９の電源設定が変更された場合は（Ｓ３８：Ｙｅｓ）、新たに電力を遮断するインターフェイス２３〜２５，２７，２９があるかを判定する（Ｓ３９）。一方、インターフェイス２３〜２５，２７，２９の電源設定が変更されていない場合は（Ｓ３８：Ｎｏ）、Ｓ３９からＳ４２の処理をスキップし、この電源設定処理（Ｓ６）を終了する。
【００７２】
Ｓ３９の処理において、新たに電力を遮断するインターフェイス２３〜２５，２７，２９がある場合は（Ｓ３９：Ｙｅｓ）、遮断するインターフェイス２３〜２５，２７，２９のスイッチ３１〜３５をＯＦＦにして、そのインターフェイス２３〜２５，２７，２９の電力を遮断し、その動作状態フラグをＯＦＦに設定する（Ｓ４０）。一方、新たに電力を遮断するインターフェイス２３〜２５，２７，２９がない場合は（Ｓ３９：Ｎｏ）、Ｓ４０の処理をスキップし、Ｓ４１の処理に移行する。
【００７３】
Ｓ４１の処理では、新たに電力を供給するインターフェイス２３〜２５，２７，２９があるかを判定する（Ｓ４１）。新たに電力を供給するインターフェイス２３〜２５，２７，２９がある場合は（Ｓ４１：Ｙｅｓ）、電力供給するインターフェイス２３〜２５，２７，２９のスイッチ３１〜３５をＯＮして、そのインターフェイス２３〜２５，２７，２９へ電力を供給し、その動作状態フラグをＯＮに設定し（Ｓ４２）、この電源設定処理（Ｓ６）を終了する。一方、新たに電力を供給するインターフェイス２３〜２５，２７，２９がない場合は（Ｓ４１：Ｎｏ）、Ｓ４２の処理をスキップし、この電源設定処理（Ｓ６）を終了する。この電源設定処理（Ｓ６）により、各インターフェイス２３〜２５，２７，２９の消費電力量を表示することができ、また、ユーザは、かかる消費電力量の表示を参照して、各インターフェイス２３〜２５，２７，２９へ電力を供給するか否かを切り替えることができる。
【００７４】
電源設定処理（Ｓ６）の終了後は、図５のＳ７の処理へ戻り、その他の処理を実行する（Ｓ７）。そして、Ｓ２の処理へ戻り、上述したＳ２からＳ７の処理を繰り返す。その他の処理とは、例えば、原稿読取キー１５ｄが押下された場合の、原稿の読取処理などである。この図５のメイン処理により、各インターフェイス２３〜２５，２７，２９の動作状況を監視することができ、ユーザは各インターフェイス２３〜２５，２７，２９の消費電力量を確認することができる。そして、ユーザはその消費電力量に基づいて各インターフェイス２３〜２５，２７，２９へ電力を供給するか否かを切り替えることができる。
【００７５】
次に、図１０を参照して、ＭＦＰ１の電源設定キー１５ａが押下された場合に、ＬＣＤ１６に表示される表示画面の一例について説明する。
【００７６】
図１０は、電源設定キー１５ａが押下された場合に、ＬＣＤ１６に表示される電源設定メニューを示しており、その表示画面の右半分には、各インターフェイス２３〜２５，２７，２９へ供給される電力の状態と、カーソル７００とが表示されており、左半分には、カーソル７００により選択されたインターフェイス２３〜２５，２７，２９の名前と、その消費電力量を示す棒グラフとが表示されている。図１０は、カーソル７００によってＵＳＢインターフェイス２３が選択され、また、消費電力量を表示する時間間隔に週別が選択された場合の表示画面の一例である。
【００７７】
表示画面の左半分には、７個の棒グラフが表示されており、そのうちの１つの棒グラフは、ある１日の電力消費量が示されたものである。表示される棒グラフの数は、ユーザにより選択された時間間隔によって増減する。棒グラフにおける無地の領域は、ある日の記録時電力消費量を示しており、その値は、図９（ｂ）に示すように、１枚の記録用紙を記録するためにインターフェイス２３〜２５，２７，２９で消費される消費電力値（記録時消費電力値１２ｂの値）と、インターフェイス２３〜２５，２７，２９を介して受信された記録データの記録枚数（記録枚数メモリ１４ｃの値）との乗算により求められる。一方、棒グラフにおける斜線の領域は、ある日の待機時電力消費量を示しており、その値は、図９（ｂ）に示すように、各インターフェイス２３〜２５，２７，２９の待機時の消費電力値（待機時消費電力値１２ｃの値）と、各インターフェイス２３〜２５，２７，２９に電力が供給された時間（電力供給時間メモリ１４ｂの値）との乗算により求められる。
【００７８】
一方、表示画面の右半分には、それぞれのインターフェイス名が表示されており、インターフェイス２３〜２５，２７，２９にインターフェイス用電源２２からの電力が供給されている場合は、インターフェイス名の横に「供給中」と表示され、電力が供給されていない場合は「遮断中」と表示される。例えば、カーソル７００により選択されているＵＳＢインターフェイス２３であれば、「供給中  ＵＳＢインターフェイス」と表示され、そのＵＳＢインターフェイス２３に電力が供給されていることが確認できる。
【００７９】
そして、十字キー１５ｂの上下キーを操作することにより、カーソル７００の位置を移動させることができる。別のインターフェイス名にカーソル７００を合わせると、そのインターフェイス２３〜２５，２７，２９の消費電力量が、ＬＣＤ１６の左半分に表示される。
【００８０】
つまり、ユーザは各インターフェイス２３〜２５，２７，２９の消費電力量を確認することによって、各インターフェイス２３〜２５，２７，２９を使用状況を知ることができる。そして、不要と判断したインターフェイス２３〜２５，２７，２９への電力を遮断することにより、そのインターフェイス２３〜２５，２７，２９により消費される消費電力を低減することができる。
【００８１】
インターフェイス２３〜２５，２７，２９への電力を遮断する場合は、カーソル７００を電力を遮断したいインターフェイス名へ合わせる。そして、十字キー１５ｂの左右キーを操作することにより、表示画面に表示されている「供給中」が「遮断中」に変更される。決定キー１５ｃを押下すると、その変更がインターフェイス２３〜２５，２７，２９に反映され、インターフェイス用電源２２から供給される電力が遮断される。
【００８２】
よって、ユーザはＬＣＤ１６に表示される各インターフェイス２３〜２５，２７，２９の消費電力量に基づいて、各インターフェイスを使用するか否かを判断することができる。また、その判断を操作キー１５によりＭＦＰ１に入力することによって、各インターフェイス２３〜２５，２７，２９へ供給される電力を供給または遮断することができるので、電力が遮断される場合には、そのインターフェイスの消費電力を低減することができる。
【００８３】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【００８４】
例えば、上記実施形態では、各インターフェイス２３〜２５，２７，２９の動作状況（使用状況）として、インターフェイス２３〜２５，２７，２９を介して受信された記録データがプリンタ２１により記録用紙に記録された場合の、その記録された枚数を計数しているが、インターフェイス２３〜２５，２７，２９を介して送受信されたデータ量や、インターフェイス２３〜２５，２７，２９に対して行われたアクセスの回数などを計数してもよい。
【００８５】
また、上記実施形態では、ユーザが各インターフェイス２３〜２５，２７，２９を使用するか否かを判断するための判断材料として、消費電力量を表示しているが、各インターフェイス２３〜２５，２７，２９の動作状況（使用状況）が分かれば良いので、インターフェイス２３〜２５，２７，２９を介して送受信されたデータ量（例えば、記録データやその他のデータ）や、インターフェイス２３〜２５，２７，２９に対して行われたアクセスの回数や、インターフェイス２３２３〜２５，２７，２９を介して受信された記録データがプリンタ２１により記録用紙に記録された場合の、その記録された枚数などを表示してもよい。
【００８６】
また、上記実施形態では、ユーザが各インターフェイス２３〜２５，２７，２９を使用するか否かを判断するための判断材料として、インターフェイス２３〜２５，２７，２９の消費電力量のヒストグラム（棒グラフ）を表示しているが、各インターフェイス２３〜２５，２７，２９の動作状況（使用状況）が分かれば良いので、折れ線グラフや円グラフなどのその他のグラフを用いて動作状況を表示しても良いし、また、数値を表にして表示しても良い。
【図面の簡単な説明】
【００８７】
【図１】本発明の実施形態におけるＭＦＰとＰＣとの外観構成を示した斜視図である。
【図２】ＭＦＰの電気的構成を示すブロック図である。
【図３】動作状態フラグメモリ、電力供給時間メモリ、記録枚数メモリの内容を概略的に示したイメージ図である。
【図４】ＰＣの電気的構成を示すブロック図である。
【図５】ＭＦＰのメイン処理を示すフローチャートである。
【図６】ＭＦＰの電力供給時間計時処理を示すフローチャートである。
【図７】ＭＦＰの記録枚数計数処理を示すフローチャートである。
【図８】ＭＦＰの電源設定処理を示すフローチャートである。
【図９】記録時電力消費量と待機時電力消費量の算出方法を示した図である。
【図１０】ＬＣＤに表示された電源設定メニュー（表示画面）を示した図である。
【符号の説明】
【００８８】
１                ＭＦＰ（多機能周辺装置）
１５              操作キー（入力手段）
２１              プリンタ（記録手段）
２３              ＵＳＢインターフェイス（インターフェイスの一つ）
２４              有線ＬＡＮインターフェイス（インターフェイスの一つ）
２５              無線ＬＡＮインターフェイス（インターフェイスの一つ）
２７              Ｂｌｕｅｔｏｏｔｈインターフェイス（インターフェイスの一つ）
２９              Ｉｒｓｉｍｐｌｅインターフェイス（インターフェイスの一つ）
３１〜３５        スイッチ（ＦＥＴスイッチ）
５１              ＰＣ（外部装置）
Ｓ２〜Ｓ４        監視手段
Ｓ１０〜Ｓ１４    計時手段
Ｓ２１〜Ｓ２６    計数手段
Ｓ３１〜Ｓ３７    表示手段
Ｓ３９〜Ｓ４２    電源制御手段
【図１】
2008219173.tif 000003
【図２】
2008219173.tif 000004
【図３】
2008219173.tif 000005
【図４】
2008219173.tif 000006
【図５】
2008219173.tif 000007
【図６】
2008219173.tif 000008
【図７】
2008219173.tif 000009
【図８】
2008219173.tif 000010
【図９】
2008219173.tif 000011
【図１０】
2008219173.tif 000012